【事件の表示】
　特許第２９９８７４９号「アラーム付電子時計」の請求項１、３、４に係る特許に対する特許異議の申立てについて、次のとおり決定する。
【結　論】
　訂正を認める。
　特許第２９９８７４９号の請求項１、３、４に係る特許を取り消す。
【理　由】
１．手続の経緯
　昭和６３年　７月１４日　　　分割前のもとの特許出願
　平成１０年　８月１７日　　　本特許についての出願を分割出願
　平成１１年１１月　５日　　　特許権の設定登録
　平成１２年　７月１１日　　　特許異議申立人池田英治から特許異議　　　　　　　　　　　　　　　　　の申立て
　平成１２年１０月２７日　　　取消理由通知
　平成１３年　１月　９日　　　特許異議意見書及び訂正請求書
　
２．訂正の適否についての判断
２−１．訂正事項
　【訂正事項１】
特許請求の範囲の請求項１を、
「【請求項１】複数のステップモータと、
各ステップモー夕で駆動される表示指針と、
現時刻を計数する現時刻力ウン夕と、
アラームセット時刻を記憶するアラームセット時刻記憶手段と、
アラーム鳴鐘手投と、
アラーム制御手段と、を有し、前記現時刻カウンタ、前記アラームセット時刻記憶手段および前記アラーム制御手段により、
アラーム非セット状態で一組または複数組の表示指針により現時刻を表示し、前記表示指針がアラームセツト中及びアラームセット後はアラームセット時刻を表示し、現時刻とアラームセット時刻が一致したときにアラームを鳴鐘させるとともに、アラーム鳴鐘後は前記アラーム非セット状態となり、前記表示指針が再び現時刻を表示する動作モードＡと、
アラーム鳴鐘後もアラームセット時刻が保持され次にアラームセット時刻と現時刻が一致した時に再びアラームが鳴鐘する動作モードＢとを、外部操作部材に連動した切り替え手段によって切り替え可能に構成したことを特徴としたアラーム付電子時計。」
と訂正する。
　
　【訂正事項２】
特許請求の範囲の請求項２を、
「【請求項２】複数のステップモー夕と、
各ステップモータで駆動される表示指針と、
現時刻を計数する現時刻力ウンタと、
アラームセット時刻を記憶するアラームセット時刻記憶手段と、
アラーム鳴鐘手投と、
アラーム制御手段と、を有し、前記現時刻カウンタ、前記アラームセット時刻記憶手段および前記アラーム制御手段により、
アラーム非セット状態で一組または複数組の表示指針により現時刻を表示し、前記表示指針がアラームセツト中及びアラームセット後はアラームセット時刻を表示し、現時刻とアラームセット時刻が一致したときにアラームを鳴鐘させるとともに、アラーム鳴鐘後は前記アラーム非セット状態となり、前記表示指針が再び現時刻を表示する動作モードＡと、
アラーム鳴鐘後もアラームセット時刻が保持され次にアラームセット時刻と現時刻が一致した時に再びアラームが鳴鐘する動作モードＢとを、外部操作部材に連動した切り替え手段によって切り替え可能とし、
前記アラーム制御手段によりアラームセット時刻の早送りセット中にアラームセット時刻と現時刻が一致した場合、アラームセット時刻の早送りセットが中止されることを特徴としたアラーム付電子時計。」
と訂正する。
　
　【訂正事項３】
特許請求の範囲の請求項３を、
「【請求項３】請求項１記載のアラーム付電子時計において、
前記動作モードＡにおけるアラーム鳴鐘音と、前記動作モードＢにおけるアラーム鳴鐘音とが異なることを特徴としたアラーム付き電子時計。」
と訂正する。
　
　【訂正事項４】
特許請求の範囲の請求項４を、
「【請求項４】請求項１記載のアラーム付電子時計において、
デジタル表示機能を付加したことを特徴とするアラーム付電子時計。」
と訂正する。
　
　【訂正事項５】
段落番号【０００６】を、
「【０００６】
【課題を解決するための手段】
　本発明の第１のアラーム付電子時計は、複数のステップモー夕と、各ステップモー夕で駆動される表示指針と、現時刻を計数する現時刻カウン夕と、アラームセット時刻を記憶するアラームセット時刻記憶手段と、アラーム鳴鐘手投と、アラーム制御手段と、を有し、前記現時刻力ウン夕、前記アラームセット時刻記憶手段および前記アラーム制御手段により、アラーム非セット状態で一組または複数組の表示指針により現時刻を表示し、前記表示指針がアラームセット中及びアラームセット後はアラームセット時刻を表示し、現時刻とアラームセット時刻が一致したときにアラームを鳴鐘させるとともに、アラーム鳴鐘後は前記アラーム非セット状態となり、前記表示指針が再び現時刻を表示する動作モードＡと、アラーム鳴鐘後もアラームセット時刻が保持され次にアラームセット時刻と現時刻が一致した時に再びアラームが鳴鐘する動作モードＢとを、外部操作部材に運動した切り替え手段によって切り替え可能に構成したことを特徴ととする。
　また、本発明の第２のアラーム付電子時計は、複数のステップモー夕と、各ステップモー夕で駆動される表示指針と、現時刻を計数する現時刻カウン夕と、アラームセット時刻を記憶するアラームセット時刻記憶手段と、アラーム鳴鐘手投と、アラーム制御手段と、を有し、前記現時刻カウン夕、前記アラームセット時刻記憶手段および前記アラーム制御手段により、アラーム非セット状態で一組または複数組の表示指針により現時刻を表示し、前記表示指針がアラームセット中及びアラームセット後はアラームセット時刻を表示し、現時刻とアラームセット時刻が一致したときにアラームを鳴鐘させるとともに、アラーム鳴鐘後は前記アラーム非セット状態となり、前記表示指針が再び現時刻を表示する動作モードＡと、アラーム鳴鐘後もアラームセット時刻が保持され次にアラームセット時刻と現時刻が一致した時に再びアラームが鳴鐘する動作モードＢとを、外部操作部材に運動した切り替え手段によって切り替え可能とし、前記アラーム制御手段によりアラームセット時刻の早送りセット中にアラームセット時刻と現時刻が一致した場合、アラームセット時刻の早送りセットが中止されることを特徴とする。
　また、本発明の第１のアラーム付電子時計において、前記動作モードＡにおけるアラーム鳴鐘音と、前記動作モードＢにおけるアラーム鳴鐘音とが異なることを特徴とする。
　さらに、本発明の第１のアラーム付電子時計において、デジタル表示機能を付加したことを特徴とする。」
と訂正する。
　
　【訂正事項６】
段落番号【０００７】の末文における「切り替えすることができる。」を「切り替えることができる。」と訂正する。
　
２−２．訂正の目的の適否、新規事項の有無及び拡張・変更の存否
　【訂正事項１】
　この訂正は、訂正前の特許請求の範囲の請求項１の記載において重複して記載されていた事項を整理したものであって、明瞭でない記載の釈明を目的とするものである。
　そして、訂正事項はそれぞれ願書に添付した明細書に記載されているから、新規事項の追加には当たらない。
　しかも、実質上特許請求の範囲を拡張し、又は変更するものではない。
　
　【訂正事項２】
　この訂正は、訂正前の特許請求の範囲の請求項２の記載が請求項１を引用した形式になっていたものを、独立した形式に書き直したものであって、明瞭でない記載の釈明を目的とするものである。
　そして、訂正事項はそれぞれ願書に添付した明細書に記載されているから、新規事項の追加には当たらない。
　しかも、実質上特許請求の範囲を拡張し、又は変更するものではない。
　
　【訂正事項３、４】
　これらの訂正は、請求項３、４の記載を簡潔に書き直したものであって、明瞭でない記載の釈明を目的とするものである。
　そして、訂正事項はそれぞれ願書に添付した明細書に記載されているから、新規事項の追加には当たらない。
　しかも、実質上特許請求の範囲を拡張し、又は変更するものではない。
　
　【訂正事項５、６】
　これらの訂正は、上記【訂正事項１〜４】の訂正に伴い、詳細な説明の記載を、訂正後の特許請求の範囲の請求項１〜４の記載と整合をとるための訂正であって、明りょうでない記載の釈明を目的としたものである。
　そして、訂正事項は願書に添付した明細書に記載されているから、新規事項の追加には当たらない。
　しかも、実質上特許請求の範囲を拡張し、又は変更するものではない。
　
２−３．むすび
　したがって、上記訂正は、特許法の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書き、第２項及び第３項の規定に適合するので、当該訂正を認める。
　
３．特許異議申立てについて
３−１．特許異議申立ての概要
　特許異議異議申立人は、申し立ての証拠として甲第１号証（当審が取消理由通知で刊行物１として引用）、甲第２号証（当審が取消理由通知で刊行物２として引用）、甲第３号証、甲第４号証及び甲第５号証を提出し、本件特許の請求項１、３、４に係る発明は、本件出願前に頒布された甲第１〜５号証に記載された発明に基づいて当業者が容易に発明をすることができたものであり、特許法第２９条第２項の規定に違反して特許された旨を主張している。
　
３−２．本件発明
　本件特許第２９９８７４９号の請求項１、３、４に係る発明（以下本件発明１、３、４とする。）は、訂正後の明細書及び図面の記載から見て、訂正明細書の特許請求の範囲の請求項１、３、４に記載された下記の事項により特定されるとおりのものである。
　「【請求項１】複数のステップモータと、
各ステップモー夕で駆動される表示指針と、
現時刻を計数する現時刻力ウン夕と、
アラームセット時刻を記憶するアラームセット時刻記憶手段と、
アラーム鳴鐘手投と、
アラーム制御手段と、を有し、前記現時刻カウンタ、前記アラームセット時刻記憶手段および前記アラーム制御手段により、
アラーム非セット状態で一組または複数組の表示指針により現時刻を表示し、前記表示指針がアラームセツト中及びアラームセット後はアラームセット時刻を表示し、現時刻とアラームセット時刻が一致したときにアラームを鳴鐘させるとともに、アラーム鳴鐘後は前記アラーム非セット状態となり、前記表示指針が再び現時刻を表示する動作モードＡと、
アラーム鳴鐘後もアラームセット時刻が保持され次にアラームセット時刻と現時刻が一致した時に再びアラームが鳴鐘する動作モードＢとを、外部操作部材に連動した切り替え手段によって切り替え可能に構成したことを特徴としたアラーム付電子時計。」（本件発明１）
　
　「【請求項３】請求項１記載のアラーム付電子時計において、
前記動作モードＡにおけるアラーム鳴鐘音と、前記動作モードＢにおけるアラーム鳴鐘音とが異なることを特徴としたアラーム付き電子時計。」（本件発明３）
　
　「【請求項４】請求項１記載のアラーム付電子時計において、
デジタル表示機能を付加したことを特徴とするアラーム付電子時計。」（本件発明４）
　
３−３．証拠の開示
　甲第１号証：特公昭５６−２４２３８号公報
　甲第１号証には、
「発振回路の発振出力を分周し時計を計数する為のカウンターと、アラームを発する時刻を設定する為のメモリー回路、前記カウンターと前記メモリー回路の一致を検出する一致回路、アラームの一致を記憶するアラーム一致記憶回路（４０、４１）、前記アラーム−致記憶回路の出力によりアラーム音を発生するアラーム装置、アラーム設定時刻になると毎回アラーム音を発生する繰返しアラームモード又は当日だけアラームを発生する単発アラームモードかを選択し記憶するための単発アラーム選択回路及び、時刻又はアラーム設定時刻などの表示を行なう表示装置により構成され、アラーム設定時刻になった時前記メモリー回路をリセットして単発のアラームを動作し次に再び同時刻になってもアラーム音を発生しない機能と、アラーム設定時刻になっても前記メモリー回路をリセットしない機能のいずれか一方を前記単発アラーム選択回路を制御する外部スイッチにより任意に切り換えることができるようにしたことを特徴とするアラーム電子時計。」（特許請求の範囲の請求項１）、
「時間のカウンタの分力ウンタ４と時カウンタ５、セット時間の分力ウンタ６。時のカウンタ７のＢＣＤ信号は一致回路８に入力されて一致したかどうかを検出する。一致信号はブザー駆動回路に入力されてブザーを駆動する。一方分カウンタ４、６、時カウンタ５、７のＢＣＤ信号はスイッチ回路９に共に入力され時間表示又はセット時間を表示するかを制御、セット回路１２の選択制御信号によって選択されデコーダ、ドライバー回路１０に入力され表示装置によって時刻又はセット時間を表示する。一致信号は単発アラーム、繰り返しアラーム選択回路１３に入力されその出力信号は設定時間のメモリー回路である分力ウンタ６と時のカウンタ７のリセット端子入力に共に入力されて単発アラームの場合にはＲｅｓｅｔ信号によりその設定時刻の内容はクリアされる。」（公報第１頁右欄第２９行〜第２頁左欄第８行）、
「このように単発、繰り返しアラーム選択スイッチＳＷ１を操作することにより単発、繰り返しを任意に選択することが可能である。」（公報第２頁左欄第２７〜２９行）、及び
「即ちこの表示装置として液晶を用いた場合について説明すると」（公報第２頁左欄第３２、３３行）
　が図面とともに記載されている。
　「セット回路１２」の選択制御信号によって、現時刻を表示するかアラームセット時刻を表示するかを切り替えることができるものであることから、甲第１号証には以下の発明が記載されている。
「表示装置と、
発振回路の発振出力を分周し時計を計数するためのカウンターと、
アラームを発する時刻を設定する為のメモリー回路と、
アラーム音を発生するアラーム装置と、
アラーム選択回路１３と、を有し、前記カウンター、前記メモリー回路および前記アラーム装置により、
アラーム非セット状態で表示装置により現時刻を表示し、前記表示装置がアラームセット中及びアラームセット後はセット回路１２の選択によりアラームセット時刻を表示し、現時刻とアラームセット時刻が一致したときにアラームを鳴鐘させるとともに、
アラーム鳴鐘後は前記アラーム非セット状態となり、セット回路１２の選択により、前記表示装置が再び現時刻を表示する単発アラームモードと、
アラーム鳴鐘後もアラームセット時刻が保持され次にアラームセット時刻と現時刻が一致した時に再びアラームが鳴鐘する繰返しアラームモードとを、
外部スイッチに連動した、単発アラーム、繰り返しアラーム選択回路１３によって切り替え可能に構成したことを特徴としたアラーム付電子時計。」
　甲第２号証：特開昭６０−６６１７７号公報
　甲第２号証には、
「まずリューズ２により指針１の時刻合わせを行う。・・・次にリューズ３により指針２を指針１に合わせる。・・・これで指針１と指針２とは同時刻を示した事になる。通常はこの状態で携帯を行う。次にアラームを設定する時の操作を述べる。アラーム設定はボタン５によって行われる。本実施例ではボタン５により指針２を修正する。１プッシュ１分、押し続けで早送りされる。・・・この簡単な操作のみでアラームセットが完了するのである。アラームセット状態では第２の指針はこのセット時刻で停止しており常にアラームセット時刻を表示している。すなわち指針１が現在時刻を表示し、指針２がアラームセット時刻を表示しているので表示としてもきわめてわかりやすい。そして指針１と指針２とが一致した時（指針１が９時になった時）にアラーム音が発し、９時になった事を知らせる。本実施例では鳴鐘中ボタン５を押して鳴り止めにもなっている。又鳴鐘開始と同時に指針２はアラームセット時刻表示の機能から、現在時刻表示、すなわち通常の時計機能にもどり指針１とともに運針を開始する。・・・さらにくわしくは第１の指針１用のモーター、輪列、針廻し機構と第２の指針２用のモーター、輪列、針廻し機構とが全く独立している。」（公報第１頁左欄最下行〜第２頁右上欄第１５行）の記載がある。
　
　甲第３号証：特開昭６１−２８６７８３号公報
　甲第３号証には、
「時刻を表示する主指針と、該主指針を駆動する第１のモータ・・・時刻とアラームセット時刻とを選択的に表示する副指針と、該副指針を駆動する第２のモータ」（特許請求）、
「主指針用ステップモータ１０を駆動する」（公報第３頁左上欄第１６行）及び「副指針用ステップモータ１７の駆動状態」（公報第３頁左下欄第４、５行）の記載がある。
　
　甲第４号証：特開昭５６−１４５３８５号公報
　甲第４号証には、
「複数種のアラーム音のうちいずれかのアラーム音を放音する小型電子機器において、上記アラーム時刻の入力時に該アラーム時刻に対応してアラーム音の種類を選択し設定する」（特許請求の範囲）の記載がある。
　
　甲第５号証：特開昭５７−１６９６９１号公報
　甲第５号証には、
「指針によるアナログ表示部と、電子光学的表示装置によるデジタル表示部を備えた複合表示時計」（公報第１頁左欄下から７〜５行）の記載がある。
　
３−４．対比・判断
　１）本件発明１に対して
　本件発明１と、上記甲第１号証に記載された発明とを比較してみると、甲第１号証の「発振回路の発振出力を分周し時計を計数するためのカウンター」、「アラームを発する時刻を設定する為のメモリー回路」、「アラーム音を発生するアラーム装置」、「アラーム選択回路１３」、「単発アラームモード」、「繰返しアラームモード」、「外部スイッチ」、及び「単発アラーム、繰り返しアラーム選択回路１３」は、それぞれ本件発明１の「現時刻を計数する現時刻力ウン夕」、「アラームセット時刻を記憶するアラームセット時刻記憶手段」、「アラーム鳴鐘手投」、「アラーム制御手段」、「アラーム鳴鐘後は前記アラーム非セット状態となる動作モードＡ」、「動作モードＢ」、「外部操作部材」、及び「切り替え手段」に相当していることは明らかである。
　また、本件発明１の「表示指針」は電子時計において「一組または複数組の表示指針により時刻又はアラーム設定時刻を表示する装置」である。一方、甲第１号証の「表示装置」は、電子時計において「時刻又はアラーム設定時刻を液晶表示する装置」であるから、本件発明１の「表示指針」も甲第１号証の「表示装置」もともに、電子時計において時刻又はアラーム設定時刻を表示する『表示装置』と言うことができる。
　さらに、甲第１号証のものは、「表示装置がアラームセット中及びアラームセット後はセット回路１２の選択によりアラームセット時刻を表示」、及び「アラーム鳴鐘後は前記アラーム非セット状態となり、セット回路１２の選択により、前記表示装置が再び現時刻を表示」するものであるから、「セット回路１２の選択」により、甲第１号証のものも本件発明１と同様に「表示装置がアラームセット中及びアラームセット後はアラームセット時刻を表示し」、及び「アラーム鳴鐘後は前記アラーム非セット状態となり、前記表示装置が再び現時刻を表示する」との技術的事項を有するものである。したがって、両者は下記の【一致点】で一致し、下記の【相違点】で相違している。
　
　【一致点】
「表示装置と、
現時刻を計数する現時刻力ウン夕と、
アラームセット時刻を記憶するアラームセット時刻記憶手段と、
アラーム鳴鐘手投と、
アラーム制御手段と、を有し、前記現時刻カウンタ、前記アラームセット時刻記憶手段および前記アラーム制御手段により、
アラーム非セット状態で一組または複数組の表示装置により現時刻を表示し、現時刻とアラームセット時刻が一致したときにアラームを鳴鐘させるとともに、
アラーム鳴鐘後は前記アラーム非セット状態となり、前記表示装置が再び現時刻を表示する動作モードＡと、
アラーム鳴鐘後もアラームセット時刻が保持され次にアラームセット時刻と現時刻が一致した時に再びアラームが鳴鐘する動作モードＢとを、
外部操作部材に連動した切り替え手段によって切り替え可能に構成したことを特徴としたアラーム付電子時計。」
　
　【相違点】
『表示装置』が、本件発明１のものは、一組または複数組の表示指針からなり、該表示指針は、複数のステップモータで駆動されるものであるのに対して、甲第１号証のものは、デコーダ・ドライバ回路１０で駆動される液晶表示装置として例示されている点。
　
　表示指針を用いた表示及び液晶表示とも、時計の表示としては慣用されているものである。そして、上記相違点である、「一組または複数組の表示指針からなり、該表示指針を複数のステップモータで駆動する」点については、本件特許の出願前に周知の技術（例えば甲第３号証を参照）であり、それを適用することは設計的事項である。
　
　したがって、本件発明１は、甲第１号証及び周知の技術に基づいて当業者が容易に発明をすることができたものである。
　また、本件発明１の奏する効果は甲第１号証及び周知の技術に基づいて当業者が予想しうる程度のものにすぎない。
　
　２）本件発明３に対して
　本件発明３は発明１を引用しているので、発明３においてさらに限定した事項について検討する。
　本件発明３は、発明１のアラーム付き電子時計において、アラームの動作モードＡ、Ｂに応じて、そのアラーム鳴鐘音を異ならせることを限定したものであるが、一般に各種アラームの使用目的に応じてアラーム鳴鐘音を異ならせることは、本件特許の出願前に周知の技術（例えば甲第４号証を参照。甲第４号証ではアラームセット時刻に応じてアラーム鳴鐘音を各種設定できるように構成している。）であり、それに基づき本件発明３のように動作モードに応じて鳴鐘音を異ならせるようにする程度のことは設計的事項である。
　したがって、本件発明３は、甲第１号証及び周知の技術に基づいて当業者が容易に発明をすることができたものである。
　また、本件発明３の奏する効果は甲第１号証及び周知の技術に基づいて当業者が予想しうる程度のものにすぎない。
　
　３）本件発明４に対して
　本件発明４は発明１を引用しているので、発明４においてさらに限定した事項について検討する。
　本件発明４は、発明１のアラーム付き電子時計において、デジタル表示機能を付加するものであるが、一般に指針表示の電子時計にデジタル表示機能を付加することは、本件特許の出願前に周知の技術（例えば甲第５号証を参照）であり、それを適用することは設計的事項である。
　したがって、本件発明４は、甲第１号証及び周知の技術に基づいて当業者が容易に発明をすることができたものである。
　また、本件発明４の奏する効果は甲第１号証及び周知の技術に基づいて当業者が予想しうる程度のものにすぎない。
　
３−５．むすび
　以上のとおりであるから、本件発明１、３、４は、その出願日前に頒布された刊行物に記載された発明に基づいて当業者が容易に発明をすることができたものであるから、本件発明１、３、４についての特許は、特許法第２９条第２項の規定に違反してされたものである。
　したがって、本件発明１、３、４についての特許は、特許法第１１３条第２号に該当し、取り消されるべきものである。
　よって、結論のとおり決定する。
【異議決定日】
平成１３年２月２１日（２００１．２．２１）
【訂正の要旨】
　訂正の要旨
　【訂正事項１】
特許請求の範囲の請求項１を、
「【請求項１】複数のステップモータと、
各ステップモータで駆動される表示指針と、
現時刻を計数する現時刻カウンタと、
アラームセット時刻を記憶するアラームセット時刻記憶手段と、
アラーム鳴鐘手投と、
アラーム制御手段と、を有し、前記現時刻カウンタ、前記アラームセット時刻記憶手段および前記アラーム制御手段により、
アラーム非セット状態で一組または複数組の表示指針により現時刻を表示し、前記表示指針がアラームセット中及びアラームセット後はアラームセット時刻を表示し、現時刻とアラームセット時刻が一致したときにアラームを鳴鐘させるとともに、アラーム鳴鐘後は前記アラーム非セット状態となり、前記表示指針が再び現時刻を表示する動作モードＡと、
アラーム鳴鐘後もアラームセット時刻が保持され次にアラームセット時刻と現時刻が一致した時に再びアラームが鳴鐘する動作モードＢとを、外部操作部材に連動した切り替え手段によって切り替え可能に構成したことを特徴としたアラーム付電子時計。」
と訂正する。
　【訂正事項２】
特許請求の範囲の請求項２を、
「【請求項２】複数のステップモータと、
各ステップモータで駆動される表示指針と、
現時刻を計数する現時刻カウンタと、
アラームセット時刻を記憶するアラームセット時刻記憶手段と、
アラーム鳴鐘手投と、
アラーム制御手段と、を有し、前記現時刻カウンタ、前記アラームセット時刻記憶手段および前記アラーム制御手段により、
アラーム非セット状態で一組または複数組の表示指針により現時刻を表示し、前記表示指針がアラームセツト中及びアラームセット後はアラームセット時刻を表示し、現時刻とアラームセット時刻が一致したときにアラームを鳴鐘させるとともに、アラーム鳴鐘後は前記アラーム非セット状態となり、前記表示指針が再び現時刻を表示する動作モードＡと、
アラーム鳴鐘後もアラームセット時刻が保持され次にアラームセット時刻と現時刻が一致した時に再びアラームが鳴鐘する動作モードＢとを、外部操作部材に連動した切り替え手段によって切り替え可能とし、
前記アラーム制御手段によりアラームセット時刻の早送りセット中にアラームセット時刻と現時刻が一致した場合、アラームセット時刻の早送りセットが中止されることを特徴としたアラーム付電子時計。」
と訂正する。
　【訂正事項３】
特許請求の範囲の請求項３を、
「【請求項３】請求項１記載のアラーム付電子時計において、
前記動作モードＡにおけるアラーム鳴鐘音と、前記動作モードＢにおけるアラーム鳴鐘音とが異なることを特徴としたアラーム付き電子時計。」
と訂正する。
　【訂正事項４】
特許請求の範囲の請求項４を、
「【請求項４】請求項１記載のアラーム付電子時計において、
デジタル表示機能を付加したことを特徴とするアラーム付電子時計。」
と訂正する。
　【訂正事項５】
段落番号【０００６】を、
「【０００６】
　【課題を解決するための手段】
　本発明の第１のアラーム付電子時計は、複数のステップモータと、各ステップモータで駆動される表示指針と、現時刻を計数する現時刻カウンタと、アラームセット時刻を記憶するアラームセット時刻記憶手段と、アラーム鳴鐘手投と、アラーム制御手段と、を有し、前記現時刻カウンタ、前記アラームセット時刻記憶手段および前記アラーム制御手段により、アラーム非セット状態で一組または複数組の表示指針により現時刻を表示し、前記表示指針がアラームセット中及びアラームセット後はアラームセット時刻を表示し、現時刻とアラームセット時刻が一致したときにアラームを鳴鐘させるとともに、アラーム鳴鐘後は前記アラーム非セット状態となり、前記表示指針が再び現時刻を表示する動作モードＡと、アラーム鳴鐘後もアラームセット時刻が保持され次にアラームセット時刻と現時刻が一致した時に再びアラームが鳴鐘する動作モードＢとを、外部操作部材に運動した切り替え手段によって切り替え可能に構成したことを特徴ととする。
　また、本発明の第２のアラーム付電子時計は、複数のステップモータと、各ステップモータで駆動される表示指針と、現時刻を計数する現時刻カウンタと、アラームセット時刻を記憶するアラームセット時刻記憶手段と、アラーム鳴鐘手投と、アラーム制御手段と、を有し、前記現時刻カウンタ、前記アラームセット時刻記憶手段および前記アラーム制御手段により、アラーム非セット状態で一組または複数組の表示指針により現時刻を表示し、前記表示指針がアラームセット中及びアラームセット後はアラームセット時刻を表示し、現時刻とアラームセット時刻が一致したときにアラームを鳴鐘させるとともに、アラーム鳴鐘後は前記アラーム非セット状態となり、前記表示指針が再び現時刻を表示する動作モードＡと、アラーム鳴鐘後もアラームセット時刻が保持され次にアラームセット時刻と現時刻が一致した時に再びアラームが鳴鐘する動作モードＢとを、外部操作部材に運動した切り替え手段によって切り替え可能とし、前記アラーム制御手段によりアラームセット時刻の早送りセット中にアラームセット時刻と現時刻が一致した場合、アラームセット時刻の早送りセットが中止されることを特徴とする。
　また、本発明の第１のアラーム付電子時計において、前記動作モードＡにおけるアラーム鳴鐘音と、前記動作モードＢにおけるアラーム鳴鐘音とが異なることを特徴とする。
　さらに、本発明の第１のアラーム付電子時計において、デジタル表示機能を付加したことを特徴とする。」
と訂正する。
　【訂正事項６】
段落番号【０００７】の末文における「切り替えすることができる。」を「切り替えることができる。」と訂正する。
（５４）【発明の名称】
アラーム付電子時計
（５７）【特許請求の範囲】
　【請求項１】　複数のステップモータと、
　各ステップモータで駆動される表示指針と、
　現時刻を計数する現時刻カウンタと、
　アラームセット時刻を記憶するアラームセット時刻記憶手段と、
　アラーム鳴鐘手投と、
　アラーム制御手段
と、を有し、前期現時刻カウンタ、前記アラームセット時刻記憶手段および前記アラーム制御手段により、
　
アラーム非セット状態で一組または複数組の表示指針により現時刻を表示
前記表示指針がアラームセット中及びアラームセット後はアラームセット時刻を表示し、現時刻とアラームセット時刻が一致したときにアラームを鳴鐘させるとともに、
　アラーム鳴鐘後もアラームセット時刻が保持され次にアラームセット時刻と現時刻が一致した時に再びアラームが鳴鐘する動作モードＢとを、外部操作部材に連動した切り替え手段によって切り替え可能に構成したことを特徴としたアラーム付電子時計。
　【請求項２】　
複数のステップモータと、
　
各ステップモータで駆動される表示指針と、
　
現時刻を計数する現時刻カウンタと、
　
アラームセット時刻を記憶するアラームセット時刻記憶手段と、
　
アラーム鳴鐘手段と、
　
アラーム制御手段と、を有し、前期現時刻カウンタ、前記アラームセット時刻記憶手段および前記アラーム制御手段により、
　
アラーム非セット状態で一組または複数組の表示指針により現時刻を表示し、前記表示指針がアラームセット中及びアラームセット後はアラームセット時刻を表示し、現時刻とアラームセット時刻が一致したときにアラームを鳴鐘させるとともに、アラーム鳴鐘後は前記アラーム非セット状態となり、前記表示指針が再び現時刻を表示する動作モードＡと、
　
アラーム鳴鐘後もアラームセット時刻が保持され次にアラームセット時刻と現時刻が一致した時に再びアラームが鳴鐘する動作モードＢとを、外部操作部材に連動した切り替え手段によって切り替え可能とし、
　前記アラーム制御手段によりアラームセット時刻の早送リセット中にアラームセット時刻と現時刻が一致した場合、アラームセット時刻の早送リセットが中止される
こと
　【請求項３】　
請求項１記載のアラーム付電子時計において、
　前記動作モードＡにおけるアラーム鳴鐘音と、前記動作モードＢにおけるアラーム鳴鐘
音と
　【請求項４】　
請求項１記載のアラーム付電子時計において、
　デジタル表示機能を付加した
ことを特徴とする
【発明の詳細な説明】
　【０００１】
　【発明の属する技術分野】
　本発明は、アラーム付電子時計のアラーム機能に関する。
　【０００２】
　【従来の技術】
　従来のアナログ表示のアラーム付電子時計には、アラーム鳴鐘モードと　ラーム非鳴鐘モードがあり、アラーム鳴鐘モードにおいてはアラーム鳴鐘後もアラームセット時刻が保持され、アラーム鳴鐘後一定時間がたち再びアラームセット時刻と現時刻が一致した時にもアラームが鳴鐘するものであった。
　【０００３】
　【発明が解決しようとする課題】
　しかし、従来のアナログ表示のアラーム付電子時計では、アラーム鳴鐘後再びアラームを鳴鐘させたくない場合には、スイッチ操作などによりアラーム鳴鐘を禁止しなければならず、また、アラーム鳴鐘の禁止状態から、再びアラームのセットを行なう場合には、アラーム鳴鐘の禁止状態を解除しなければならないため、操作が複雑であった。
　【０００４】
　また、例えば約１０分後にアラームを鳴鐘させたいといったようなタイマー的な使い方をする場合には、使用者が現時刻に１０分を加算した時刻を計算し、その時刻にアラームセット時刻を合わせるといった操作が必要であり複雑な手順を必要とした。
　【０００５】
そこで本発明はこのような問題点を除去するもので、その目的とするところは、アラーム鳴鐘後再びアラームを鳴鐘させたくない場合のアラーム鳴鐘禁止のための操作と、再びアラームのセットを行なう場合の、アラーム鳴鐘の禁止状態の解除の操作を省き、操作を簡略化し、外部操作部材を削減し、アラーム機能の多機能化をはかり、アラーム機能のタイマー的な使用方法を簡易化するところにある。
　【０００６】
　【課題を解決するための手段】
　本発明の第１のアラーム付電子時計は、複数のステップモータと、各ステップモータで駆動される表示指針と、現時刻を計数する現時刻カウンタと、アラームセット時刻を記憶するアラームセット時刻記憶手段と、アラーム鳴鐘手投と、アラーム制御手段と、を有し、前記現時刻カウンタ、前記アラームセット時刻記憶手段および前記アラーム制御手段により、アラーム非セット状態で一組または複数組の表示指針により現時刻を表示し、前記表示指針がアラームセット中及びアラームセット後はアラームセット時刻を表示し、現時刻とアラームセット時刻が一致したときにアラームを鳴鐘させるとともに、アラーム鳴鐘後は前記アラーム非セット状態となり、前記表示指針が再び現時刻を表示する動作モードＡと、アラーム鳴鐘後もアラームセット時刻が保持され次にアラームセット時刻と現時刻が一致した時に再びアラームが鳴鐘する動作モードＢとを、外部操作部材に連動した切り替え手段によって切り替え可能に構成したことを特徴ととする。
　また、本発明の第２のアラーム付電子時計は、複数のステップモータと、各ステップモータで駆動される表示指針と、現時刻を計数する現時刻カウンタと、アラームセット時刻を記憶するアラームセット時刻記憶手段と、アラーム鳴鐘手投と、アラーム制御手段と、を有し、前記現時刻カウンタ、前記アラームセット時刻記憶手段および前記アラーム制御手段により、アラーム非セット状態で一組または複数組の表示指針により現時刻を表示し、前記表示指針がアラームセット中及びアラームセット後はアラームセット時刻を表示し、現時刻とアラームセット時刻が一致したときにアラームを鳴鐘させるとともに、アラーム鳴鐘後は前記アラーム非セット状態となり、前記表示指針が再び現時刻を表示する動作モードＡと、アラーム鳴鐘後もアラームセット時刻が保持され次にアラームセット時刻と現時刻が一致した時に再びアラームが鳴鐘する動作モードＢとを、外部操作部材に連動した切り替え手段によって切り替え可能とし、前記アラーム制御手段によりアラームセット時刻の早送リセット中にアラームセット時刻と現時刻が一致した場合、アラームセット時刻の早送リセットが中止されることを特徴とする。
　また、本発明の第１のアラーム付電子時計において、前記動作モードＡにおけるアラーム鳴鐘音と、前記動作モードＢにおけるアラーム鳴鐘音とが異なることを特徴とする。
　さらに、本発明の第１のアラーム付電子時計において、デジタル表示機能を付加したことを特徴とする。
　【０００７】
　【作用】
　本発明の上記構成によれば、動作モードＡにおいては、一組または複数組の表示指針が、アラーム非セット状態では現時刻を表示し、該現時刻を表示する前記表示指針がアラームセット中及びアラームセット後はアラームセット時刻を表示し、アラーム鳴鐘後は、アラーム非セット状態となり、前記表示指針が再び現時刻を表示する。
　また、動作モードＢにおいては、アラーム鳴鐘後もアラームセット時刻が保持され、次にアラームセット時刻と現時刻が一致した時に再びアラームが鳴鐘する。しかも、使用者は、外部操作部材により、上記の動作モードＡと動作モードＢとを切り替えることができる。
　【０００８】
　また、アラーム制御手投によるアラームセット時刻のセットにより、アラームセット時刻と現時刻が一致するとアラーム非セット状態となり、アラームセット時刻の早送リセット中にアラームセット時刻と現時刻が一致した場合、アラームセット時刻の早送リセットが中止する。
　【０００９】
　【発明の実施の形態】
（実施例）
　図１は、本発明のアラーム付電子時計の一実施例のＩＣを示すブロック図である。
　【００１０】
　図１に示した様に、ＣＭＯＳ−ＩＣ２０は、コアＣＰＵを中心にしてワンチップ上にプログラムメモリ、データメモリ、４個のモータドライイバ、モータ運針制御回路、サウンドジェネレータ、インタラプト制御回路等を集積したアナログ電子時計用のワンチップマイクロコンピュータである。
　【００１１】
以下、図１について説明する。
　【００１２】
　２０１はコアＣＰＵであり、ＡＬＵ、演算用レジスタ、アドレス制御レジスタ、スタックポインタインストラクションレジスタ、インストラクションデコーダ等で構成されており、周辺回路とはメモリマップドＩ／０方式によりアドレスバス（ａｄｂｕｓ）及びデータバス（ｄｂｕｓ）で接続されている。
　【００１３】
　２０２は２０４８ｗｏｒｄ×１２ｂｉｔ構成のマスクＲＯＭよりなるプログラムメモリであり、ＩＣを動作させるためのソフトウェアを格納している。
　【００１４】
　２０３はプログラムメモリ２０２のアドレスデコーダである。
　【００１５】
　２０４は１１２ｗｏｒｄ×４ｂｉｔ構成のＲＡＭからなるデータメモリであり、各種計時のためのタイマや各指針の針位置を記憶するためのカウンタ等に用いられる。
　【００１６】
　２０５はデータメモリ２０４のアドレスデコーダである。
　【００１７】
　２０６は発振回路であり、Ｘｉｎ及びＸｏｕｔ端子に接続される音叉聖水晶振動子を源振に３２７６８Ｈｚで発振する。
　【００１８】
　２０７は発振停止検出回路であり、発振回路２０６の発振が停止するとそれを検出し、システムにリセットをかける。
　【００１９】
　２０８は第１分周回路であり、発振回結２０６より出力される３２７６８Ｈｚ信号φ３２Ｋを順次分周して、１６Ｈｚ信号φ１６を出力する。
　【００２０】
　２０９は第２分周回路であり、第１分周回緒２０８より出力される１６Ｈｚ信号φ１６を１Ｈ　ｚ信号φ１まで分周する。尚、８Ｈｚから１Ｈｚまでの各分周段の状態はソフトウェアによりコアＣＰＵ２０１内に読み込むことができる。
　【００２１】
　また、本実施例のＩＣに於いては、時計計時等の処理のためのタイムインタラプトＴＩｎｔとして、１６Ｈｚ信号φ１６、８Ｈｚ信号φ８、１Ｈｚ信号φ１を用いている。タイムインタラプトＴＩｎｔは各信号の立下りで発生し、各インタラプト要因の読み込みとリセット及びマスクはすべてソフトウェアにより行なわれ、リセットとマスクについては各要因ごと個別に行なえるように構成されている。
　【００２２】
　２１０はサウンドジェネレータであり、ブザー駆動信号を形成しＡＬ端子に出力する。ブザー駆動信号の駆動周波数、ＯＮ／ＯＦＦ、鳴鐘パターンはソフトウェアにより制御することができる。
　【００２３】
　２１１はクロノグラフ回路であり、具体的には図２の様に構成されており、１／１００秒計クロノグラフを構成する際に、１／１００秒針の運針制御をハードウェアで行ないソフトウェアの負荷を著しく軽減することが可能である。
　【００２４】
　図２に於いて、２１１１はクロック形成回路であり、５１２Ｈｚ信号φ５１２からクロノグラフ計測の基準クロックとなる１００Ｈｚ信号φ１００と、１／１００秒針駆動パルスＰｆを形成するための１００Ｈｚでパルス幅３．９１ｍｓのクロックパルスＰｆｃを形成する。２１１２は５０進のクロノグラフカウンタであり、ＡＮＤゲート２１１９を通過するφ１００をカウントし、制御信号形成回路２１１８より出力されるクロノグラフリセット信号Ｒｃｇによりリセットされる。２１１３はレジスタであり、制御信号形成回緒２１１８よりスプリット表示指令信号Ｓｐが出力された時にクロノグラフカウンタ２１１２の内容をホールドする。２１１４は５０進の針位置カウンタであり、１／１００秒針駆動パルスＰｆをカウントすることにより１／１００秒針の表示位置を記憶し、制御信号形成回路２１１８から１／１００秒針の０位置を記憶させるための信号Ｒｈｎｄによりリセットされる。２１１５は一致検出回路であり、レジスタ２１１３と針位置カウンタ２１１４の内容を比較し一致している時には一致信号Ｄｔｙを出力する。２１１６は０位置検出回路であり、針位置カウンタ２１１４の０を検出すると０検出信号Ｄｔ０を出力する。２１１７は１／１００秒針運針制御回路であり、１／１００秒針動作状態かつクロノグラフ計測期間中はクロノグラフカウンタ２１１２と針位置カウンタ２１１４の内容が一致している時にクロックパルスＰｆｃを通し、スプリット表示時及び計測停止時にはレジスタ２１１３と針位置カウンタ２１１４が一致していない時にクロックパルスＰｆｃを通し、１／１００秒針非動作状態でクロノグラフの計測中には針位置カウンタ２１２５の内容が０以外の時にクロックパルスＰｆｃを通すように構成されて　いる。２１１８は制御信号形成回緒であり、ソフトウェアの指令により、クロノグラフ計測のスタート／ストップを指令するスタート信号Ｓｔ、スプリット表示／スプリット表示解除を指令するスプリット信号Ｓｐ、クロノグラフ計測のリセットを指令するクロノグラフリセット信号Ｒｃｇ、１／１００秒針の０位置を記憶させるための０位置信号Ｒｈｎｄ、及び１／１００秒針の動作／非動作を指令するＤｒｕを形成し出力する。尚、１／１００秒針駆動はステップモータＣのみで可能である。また、クロノグラフカウンタ２１１２から出力される５Ｈｚのキャリー信号φ５によりクロノグラフインタラプトＣＧＩｎｔが発生し、ソフトウェアにより１／５秒以降のクロノグラフ計測処理が可能である。
　【００２５】
　２１２はモータ運針制御回路であり、具体的には図３の様に構成されており、ソフトウェアから指令に基づいて各モータドライバにモータ駆動パルスを出力する。以下、図３について説明する。
　【００２６】
　２１９はモータ運針方式制御回路であり、各モータの運針方式をソフトウェアからの指令に従って記憶するとともに、正転駆動Ｉを選択するＳａ、正転駆動ＩＩを選択するＳｂ、逆転駆動Ｉを選択するＳｃ、逆転駆動ＩＩを選択するＳｄ、正転補正駆動を選択するＳｅの各制御信号を形成し出力する。
　【００２７】
　２２０は運針基準信号形成回路であり、具体的には図４の様に構成され、ソフトウェアからの指令により運針用基準クロックＣｄｒｖを形成し出力する。
　【００２８】
　図４に於いて、２２０１は３ｂｉｔのレジスタであり、ソフトウェアからの指令（アドレスデコーダ２２０２の出力信号）によって、運針用基準クロックＣｄｒｖの周波数を決定するためのデータを記憶する。２２０３は３ｂｉｔのレジスタであり、プログラマブル分周期２２０５から出力される運針基準用クロックＣｄｒｖの立下りで、レジスタ２２０１が記憶しているデータをとり込み記憶する。２２０４はデコーダであり、レジスタ２２０３が記憶するデータに対応して、２，３，４，５　６，８，１０，１６の数を２進数の形で出力する。２２０５はプログラマブル分周器であり、第１分周回路２０８から出力される２５６Ｈｚ信号φ２５６を、デコーダ２２０４から出力される数値をｎとすると、１／ｎに分周し出力する。従って、運針基準信号形成回路２２０は、ソフトウェアからの指令によって、運針用基準クロックＣｄｒｖの周波数を１２８Ｈｚ，８５．３Ｈｚ，６４Ｈｚ，５１．２Ｈｚ，４２．７Ｈｚ，３２Ｈｚ，２５．６Ｈｚ，１６Ｈｚの８種類から選択することができる。また、運針用基準クロックＣｄｒｖの周波数変更は、レジスタ２２０３にデータがとりまれた時点でおこなわれ、レジスタ２２０３へのデータとりこみは運針基準用クロックＣｄｒｖに同期しておこなわれるため、前の周波数ｆａから次の周波数ｆｂに切り替わる際には、必ず１／ｆａの間隔が確保される。
　【００２９】
　尚、正転駆動Ｉ及び逆転駆動を連続して行なう場合には、運針基準用クロックＣｄｒｖの周波数は６４Ｈｚ以下に限定される。
　【００３０】
　２２１は、第１駆動パルス形成回粘であり、図５に示した正転駆動Ｉ用の駆動パルスＰａを形成し出力する。
　【００３１】
　２２２は、第２駆動パルス形成回路であり、図６に示した正転駆動ＩＩ用の駆動パルスＰｂを形成し出力する。
　【００３２】
　２２３は、第３駆動パルス形成回路であり、図７に示した逆転駆動Ｉ用の駆動パルスＰｃを形成し出力する。
　【００３３】
　２２４は、第４駆動パルス形成回路であり、図８に示した逆転駆動ＩＩ用の駆動パルスＰｄを形成し出力する。
　【００３４】
　２２５は、第５駆動パルス形成回路であり、補正駆動用のパルス群Ｐｅ（特開昭６０−２６０８８３に開示されている通常駆動パルスＰ１、補正駆動パルスＰ２、交流磁界検出時パルスＰ３、交流磁界検出パルスＳＰ１、回転検出パルスＳＰ２）を形成し出力する。
　【００３５】
　２２６，２２７，２２８，２２９は、モータクロック制御回路であり、具体的には図９の様に構成されておりそれぞれステップモータＡ、ステップモータＢ、ステップモータＣ、ステップモータＤの運針パルス数をソフトウェアからの指令により制御する。
　【００３６】
　図９に於いて、２２６１は４ｂｉｔのレジスタであり、ソフトウェアにより指令された運針パルス数を記憶する。２２６２は４ｂｉｔのアップカウンタであり、ＡＮＤゲート２２７４を通過する運針用基準クロックＣｄｒｖをカウントし、制御信号Ｓｒｅｓｅｔによりリセットされる。２２６３は一致検出回路であり、レジスタ２２６１とアップカウンタ２２６２の内容を比較し一致した時に一致信号Ｄｙを出力する。２２６４はオール１検出回路であり、レジスタ２２６１の内容がオール１の時にオール１検出信号Ｄ１５を出力する。２２６５はモータ駆動パルス形成用トリガー信号発生回路であり、ＮＯＴゲート２２６６及び２２６７、３入力アンドゲート２２６８、２入力ＡＮＤゲート２２６９、２入力ＯＲゲート２２７０から成り、レジスタ２２６１にオール１（１５）がセットされた時にはそれ以外のデータがセットされるまで繰り返しモータパルスを出力し続け、オール１以外のデータがセットされた時にはそのデータ分だけモータパルスを出力し、次のデータがセットされるまでモータパルス出力が停止するように構成されている。２２７１は双方向スイッチであり、制御信号Ｓｒｅａｄが出力されたときにＯＮし、アップカウンタ２２６２のデータをデータバスに乗せる。２２７２は制御信号形成回路であり、ソフトウェアからの指令によりレジスタ２２６１に運針パルス数をセットするための信号Ｓｓｅｔ、アップカウンタ２２６２のデータを読み込むための信号Ｓｒｅａｄ、レジスタ２２６１及びアップカウンタ２２６２をリセットするための信号Ｓｒｅｓｅｔを形成し出力する。尚、信号Ｓｒｅａｄが出力された場合にはＮＯＴゲート２２７３とＡＮＤゲート２２７４により運針基準用クロックＣｄｒｖの通過が禁止される。この場合、読込み後にはＳｒｅｓｅｔを発生させてレジスタ２２６１とアップカウンタ２２６２をリセットする必要がある。また、一致検出回路２２６３が一致を検出した時（セットされたパルス数を出力し終えた時）各モータはモータコントロールインタラプト（Ｍｉｎｔ）を発生する。モータコントロールインタラプトが発生した場合には、ソフトでどのインタラプトが発生したかの読み込むことができ、読み込み後にはリセットすることができる。
　【００３７】
　２３０，２３１，２３２，２３３はトリガー形成回路であり、モータ運針方式制御回路２１９から出力される運針方式制御信号Ｓａ，Ｓｂ，Ｓｃ，Ｓｄ，Ｓｅに対応して、モータクロック制御回路から出力されるトリガー信号Ｔｒを２２１，２２２，２２３，２２４，２２５の各駆動パルス制御回路がモータ駆動パルスＰａ，Ｐｂ，Ｐｃ，Ｐｄ，Ｐｅを形成するためのトリガー信号Ｓａｔ，Ｓｂｔ，Ｓｃｔ，Ｓｄｔ，Ｓｅｔとして通過させる。
　【００３８】
　２３４、２３５，２３６，２３７はモータ駆動パルス選択回路であり、運針方式制御信号Ｓａ，Ｓｂ，Ｓｃ，Ｓｄ，Ｓｅに対応して、各駆動パルス形成回路から出力されるモータ駆動パルスＰａ，Ｐｂ，Ｐｃ，Ｐｄ，Ｐｅの中から各ステップモータに必要な駆動パルスを選択し出力する。以上で図３の説明を終わる。
　【００３９】
　２１３，２１４，２１５，２１６はモータドライバであり、モータ駆動パルス選択回路から出力されるモータ駆動パルスを各々のモータ駆動回路が有する２個の出力端子に交互に出力し、各ステップモータを駆動する。
　【００４０】
　２１７は入力制御及びリセット回路であり、Ａ，Ｂ　Ｃ，Ｄ，ＲＡ１，ＲＡ２，ＲＢ１，ＲＢ２の各スイッチ入力の処理及びＫ，Ｔ，Ｒの入力端子の処理を行なう。前記Ａ，Ｂ，Ｃ，Ｄのうちいずれか１つまたはＲＡ１，ＲＡ２，ＲＢ１，ＲＢ２のうちいずれか１つのスイッチが入力するとスイッチインタラプトＳｗＩｎｔを発生する。この時のインタラプト要因の読み込み及びリセットはソフトウェアにより行なわれる。尚、各入力端子はＶＳＳにプルダウンされており、オープン状態ではデータ０、ＴＤＤに接続された状態でデータ１となる。
　【００４１】
　Ｋ端子は仕様切替端子であり、Ｋ端子のデータによって２種類の仕様を選択するこ　とができる。
　【００４２】
尚、Ｋ端子のデータの読み込みはソフトウェアにより行なう。
　【００４３】
　Ｒ端子はシステムリセット端子であり、Ｒ端子がＶＤＤに接続されるとハードウェアにより、コアＣＰＵ、分周回路、及びその他周辺回路が強制的に初期状態に設定される。
　【００４４】
　Ｔ端子はテストモード変換端子であり、ＲＡ２端子をＶＤＤに接続した状態でＴ端子にクロックを入力することにより、周辺回路をテストするための１６のテストモードを切替えることができる。
　【００４５】
主なテストモードとして、正転Ｉ確認モード、正転ＩＩ確認モード、逆転Ｉ確認モード、逆転ＩＩ確認モード、補正駆動確認モード、クロノグラフ１／１００秒確認モード等を有しており、これらの確認モードに於いては、各モータ駆動パルス出力端子に自動的にモータ駆動パルスが出力される。
　【００４６】
　システムリセットは、Ｒ端子をＶＤＤに接続する方法の他に、スイッチの同時入力でも行なうことができ、本ＩＣに於いては、ＡかＣのいずれか１つとＢ及びＲＡ２の同時入力があった時と、Ａ，Ｂ，Ｃのいずれか１つとＲＡ２，ＲＢ２の同時入力があった時にハードウェアにより強制的にシステムリセットがかかる様に構成されている。
　【００４７】
　また、ソフトウェアで処理できるリセット機能として、分周回路リセットと周辺回路リセットがあり、周辺回路リセットを行なった場合には分周回路もリセットされる。
　【００４８】
　２３６はインタラプト制御回路であり、スイッチインタラプト、クロノグラフインタラプト、モータコントロールインタラプトに関して、各々のインタラプトの優先順位づけ、読み込みが行なわれるまでの記憶、読み込み後のリセット処理を行なう。
　【００４９】
　２００は定電圧回路であり、ＶＤＤ−Ｖｓｓ間に印加される電池電圧（約１．５８Ｖ）から約１．２Ｖの定電圧を形成しＶＳＩ端子に出力する。
　【００５０】
　以上で図１についての説明を終わる。
　【００５１】
　以上詳細に説明してきた様に、ＣＭＯＳ−ＩＣ２０はステップモータの駆動に関して以下の特徴を備えており、多針タイプの多機能アナログ電子時計用ＩＣとして非常に優れている。
　【００５２】
　▲１▼モータドライバ２１３，２１４，２１５，２１６を有しており、４個のステップモータを同時に駆動できる。
　【００５３】
　▲２▼運針制御方式制御回路２１９と駆動パルス形成回路２２１〜２２５とモータ駆動パルス選択回路２３４〜２３７を有しており、ソフトウェアによって４個のステップモータそれぞれに３種類の正転駆動と２種類の逆転駆動をさせることができる。
　【００５４】
　▲３▼運針基準信号形成回路２２０を有しており、ソフトウェアによって、各ステップモータの運針速度を自在に変更することができる。
　【００５５】
　▲４▼４個のステップモータそれぞれに対応するモータクロック形成回路２２６〜２２９を有しており、ソフトウェアによって、各ステップモータの運針パルス数を自在に設定することができる。
　【００５６】
　次に、本発明の多機能アナログ電子時計の一実施例の平面図を図１０に示し説明する。本実施例では４つのステップモータを用い多機能化を実現している。以下、図１０について説明する。
　【００５７】
　１は樹脂成形により成る地板であり、２は電池である。３は通常時刻を表示させるためのステップモータＡであり、高透磁材より成る磁心３ａ、磁心３ａに巻かれたコイルとその両端を導通可能に端末処理したコイルリード基板とコイル枠より成るコイルブロック３ｂ、高透磁材より成るステータ３Ｃ、ロータ磁石とかなより成るロータ４により構成されている。また、５，６，７，８はそれぞれ、五番車、四番車、三番車、二番車であり、９は日の裏車、１０は筒車である。二番車及び筒車は時計体センター位置に配置されている。これらの輪列構成により、時計体のセンター位置に通常時刻の分表示及び時表示を行なっている。図１１は、この通常時刻時分表示のための輪列の係合状態を示した断面図である。図に示した様に、ロータかな４　ａは五番歯車５ａとかみ合い、五番かな５ｂは四番歯車６ａとかみ合っている。また、四番かな６ｂは三番歯車７ａとかみ合い、三番かな７ｂは二番歯車８ａとかみ合っている。このロータかな４ｂから二番歯車８ａまでの減速比は１／１８００となっており、ロータ４が１秒間に半回転することにより、二番車は３６００秒即ち、６０分に１回転し、通常時刻の分表示が可能となる。１１は、分表示のために二番車８先端にかん合された分針である。また、二番かな８ｂは日の裏歯車９ａとかみ合い、日の裏かな９ｂは筒車１０とかみ合っている。二番かな８ｂから筒車１０までの減速比は１／１２となっており、通常時刻の時表示が可能となっている。１２は、時表示のために筒車１０の先端にかん合された時針である。また、図１０において、１３は時計体の９時方向の軸上に配置された小秒車であり、ロータ４、五番車５、小秒車１３による輪列構成により、時計体の９時方向の軸上に通常時刻の秒表示を行なっている。図１２は、この通常時刻秒表示のための輪列の係合状態を示　した断面図である。図に示した様に、五番かな５ｂは小秒歯車１３ａとかみ合っている。　ロータかな４ａから小秒歯車１３までの減速比は１／３０となっており、ロータ４が１秒間に１８０°回転することにより、小秒車１３は６０秒に１回転即ち、１秒間に６°回転し、通常時刻の秒表示が可能となる。１４は、秒表示のために小秒車１３の先端にかん合された小秒針である。
　【００５８】
　図１０において１５はクロノグラフ秒針表示のためのステップモータＢであり、高透磁材より成る磁心１５ａ、磁心１５ａに巻かれたコイルとその両端を導通可能に端末処理したコイルリード基板とコイル枠より成るコイルブロック１５ｂ、高透磁材より成るステータ１５ｃ、ロータ磁石とロータかなより成るロータ１６により構成されている。また、１７，１８，１９はそれぞれ１／５秒ＣＧ第一中間車、１／５秒ＣＧ第二中間車、１／５秒Ｃ　Ｇ車であり、１／５秒ＣＧ車は時計体のセンター位置に配置されている。これらの輪列構成により、時計体のセンター位置にクロノグラフの秒表示を行なっている。　図１３は、このクロノグラフ秒表示のための輪列の係合状態を示した断面図である。図に示した様に、ロータかな１６ａは１／５秒ＣＧ第一中間歯車１７ａとかみ合い、１／５秒ＣＧ第一中間かな１７ｂは１／５秒ＣＧ第二中間歯車１８ａとかみ合っている。また、１／５秒ＣＧ第二中間かな１８ｂは１／５秒ＣＧ歯車１９ａとかみ合っている。このロータかな１６ａから１／５秒ＣＧ歯車１９ａまでの減速比は１／１５０となっている。ＣＭＯＳ−ＩＣ２０からの電気信号により、ロータ１６は１／５秒間に１８０°回転する。このため１／５秒Ｃ　Ｇ車１９は１／５秒間に１．２°即ち、１秒間に１．２°×５ステップ回転し、１／５秒きざみのクロノグラフ秒表示が可能となる。２１は、クロノグラフ秒表示のために１／５秒ＣＧ車先端にかん合された１／５秒ＣＧ針である。また、１／５秒ＣＧ針２１は、タイマー時刻セットのためのタイマーセット針としての機能も兼用している。
このタイマー動作については後に述べる。
　【００５９】
　２７は、クロノグラフの分表示及びタイマー経過時刻秒表示のためのステップモータＣであり、高透磁材より成る磁心２７ａ、磁心２７ａに巻かれたコイルとその両端を導通可能に端末処理したコイルリード基板とコイル枠より成るコイルブロック２７ｂ、高透磁材より成るステータ２７ｃ、ロータ磁石とロータかなよりなるロータ２８により構成されている。また、２９，３０はそれぞれ、分ＣＧ中間車及び分ＣＧ車であり、分ＣＧ車３０は時計体の１２時方向の軸上に配置されている。これらの輪列構成により、時計体の１２時方向の軸上にクロノグラフの分表示、及びタイマー経過時刻の秒表示を行なっている。　図１４はこのクロノグラフ分表示及びタイマー経過時刻秒表示のための輪列の係合状態を示した断面図である。図に示した様に、ロータかな２８ａは分ＣＧ中間歯車２９ａとかみ合い、分ＣＧ中間かな２９ｂは分ＣＧ歯車３０ａとかみ合っている。このロータかな２８ａから分ＣＧ歯車３０ａまでの減速比は１／３０となっている。クロノグラフモードの場合、ＣＭＯＳ−ＩＣ２０からの電気信号によりロータ２８は１分間に３６０°の割合即ち、３０秒ごとに１８０°×２ステップで回転する。従って、分ＣＧ車は１分間で１２°即ち３０分間で３６０°（１２°×３０ステップ）回転し、３０分間のクロノグラフ分表示が可能となる。３１はクロノグラフ分表示のために分ＣＧ車先端にかん合された分ＣＧ針である。この分ＣＧ針３１と前述した１／５秒ＣＧ針２１との組み合わせにより、最小読み取り単位１／５秒、最大計測３０分のクロノグラフ表示が可能である。次にタイマーモードの場合であるが、ＣＭＯＳ−ＩＣ２０からの電気信号により、ロータ２８はクロノグラフモード時とは逆方向に回転する。この回転は１秒間に１８０°×１ステップであり、分ＣＧ針３１は反時計方向に１秒刻みで回転し、１周６０秒のタイマー経過時間秒表示を行なう。また、この時、ロータ１６は、ＣＭＯＳ−ＩＣ２０からの電気信号により、クロノグラフモード時とは逆方向に１分間に１８０°×５ステップ回転する。従って１／５秒ＣＧ針２１は、反時計方向に１分間６°の割合で回転し、タイマー経過時間分表示を行なう。また、タイマー時刻の設定であるが、図１０の第２巻真２３が１段目の状態において、Ｂスイッチ２５を１回押すごとにロータ１６は１８０°×５ステップ回転し、１／５秒ＣＧ針２１は６°単位（目盛上１分単位）で回転し、最大６０分までのタイマー設定時刻を表示する。
　【００６０】
　図１０３２は、アラーム設定時刻表示のためのステップモータＤであり、高透磁材より成る磁心３２ａ、磁心３２ａに巻かれたコイルとその両端を導通可能に端末処理したコイルリード基板とコイル枠より成るコイルブロック３２ｂ、高透磁材より成るステータ　３２ｃ、ロータ磁石とロータかなより成るロータ３３により構成されている。また、３４，３５，３６，３７はそれぞれＡＬ中間車、ＡＬ分車、ＡＬ日の裏車、ＡＬ筒車であり、ＡＬ分車３５及びＡＬ筒車３７は時計体の６時方向の軸上に配置されている。これらの輪列構成により、時計体の６時方向の軸上にアラーム設定時刻表示を行なっている。図１５は、このアラーム設定時刻表示のための輪列の係合状態を示した断面である。図に示した様に、ロータかな３３ａはＡＬ中間歯車３４ａとかみ合い、ＡＬ中間かな３４ｂはＡＬ分歯車３５ａとかみ合っている。また、ＡＬ分かな３５ｂはＡＬ日の裏歯車３６ａとかみ合い、Ａ　Ｌ　日の衰かな３６ｂはＡＬ簡単３７とかみ合っている。ロータかな３３ａからＡＬ分歯車３　５　ａまでの減速比は１／３０であり、ＡＬ分かな３５ｂからＡＬ筒車３７までの減速比は１／１２となっている。また、３８はＡＬ分車３５先端にかん合されたＡＬ分針であり、３９はＡＬ筒車３７先端にかん合されたＡ　Ｌ時針である。
　【００６１】
　第２巻心が１段目の場合、アラームＢモードとなり、Ｃスイッチ２６を押すとロータ　２３はＣＭＯＳ−ＩＣ２０からの電気信号により１８０°づつ回転する。従ってＡＬ分針は、０．５°づつ回転する。これによりアラームセット時刻を１分単位で最大１２時間まで設定できる。設定されたアラームセット時刻と現時刻が一致するとアラーム音が鳴鐘する。アラームＢモードにおいては、アラーム鳴鐘後１２時間が経過し、再び設定されたアラームセット時刻と現時刻が一致するとアラーム音が鳴鐘する。
第二巻心が０段目の場合、アラームＡモードとなり、アラームがセットされていない時には、ＡＬ分針３８及びＡＬ時針３９は現時刻を表示する。この場合、ロータ３３はＣＭＯＳ−ＩＣ２０からの電気信号により１分毎に１８０°回転する。従ってＡＬ分針３８は１分運針を行なう。Ｃスイッチが押されるとアラームＡモードの時と同様にアラームがセットされＡＬ分針３８の１分運針は停止する。設定されたアラーム時刻と現時刻が一致すると、アラームＢモードの場合とは異なるアラーム音が鳴鐘し、鳴鐘後は、アラームセット状態が解除され、ＡＬ分針３８は再び１分運針する。また、修正中に、アラームセット時刻と現時刻が一致した場合には、アラームセット状態を解除する。また、特に早送り修正中にアラームセット時刻と現時刻が一致した場合には、修正を中断する。
　【００６２】
　以上で図１０についての説明を終わる。
　【００６３】
　図１６に、ＣＭＯＳ−ＩＣ２０と他の電気素子との回路結線図を示す。図１６に於いて、２は酸化銀電池（ＳＲ９２７Ｗ）、３ｂはステップモータＡのコイルブロック、１５ｂはステップモータＢのコイルブロック、２４はＡスイッチ、２５は３スイッチ、２６はＣスイッチ、２７ｂはステップモータＣのコイルブロック、３２ｂはステップモータＤのコイルブロック、５５及び５６はブザー駆動用の素子であり、５５は昇圧コイル、５６は保護ダイオード付ミニモールドトランジスタ、５７はＣＭＯＳ−ＩＣ２０に内蔵されている定電圧回路の電圧変動を抑えるための０．１μＦのチップコンデンサ、５８はＣＭＯＳ−ＩＣ２０に内蔵されている発振回路の源振となる超小型音叉型水晶振動子、４６ａはかんぬき４６の一部分に形成されたスイッチ、５９ａは第二オシドリ５９の一部分に形成されたスイッチ、６４は第１０には図示されていないが時計ケースの裏ブタに貼り付けられた圧電ブザーである。尚、スイッチ２４，２５，２６はプッシュボタンタイプのスイッチであり、プッシュ時にのみ入力できる。またスイッチ４６ａは第１巻真２２に連動するスイッチであり、第１巻真２２の１段目でＲＡ１端子と閉じ、２段目でＲＡ２端子と閉じ、通常位置では開くように構成されている。また、スイッチ５９ａは第２巻真２３に連動するスイッチであり、第２巻真２３の１段目でＲＢ１端子と閉じ、２段目でＲＢ２端子と閉じ、通常位置では開くように構成されている。
　【００６４】
　図１７は本実施例の多機能電子時計の完成体の外観図である。図１７及び図１８〜図２２のフローチャートをもとに、本実施例の仕様及び操作方法について簡単に説明する。
　【００６５】
　図１７に於いて、４０は外装ケース、４１は文字板である。また文字板上において４　２は通常秒時刻表示部、４３はクロノグラフ分表示及びタイマー経過時間秒表示部、４４はアラーム設定時刻表示部である。
　【００６６】
　まず、通常時刻であるが、前述した様に毎秒運針する小秒針１４、分針１１、時針１２により表示される。時刻合わせは第１巻真２２を２段目に引き出すことにより可能となる。この時、図１０に示したおしどり４５、かんぬき４６に係合する規正レバー４７により四番車６が規正され、ロータ４が停止し、小秒針の運針が停止する。この状態で第１巻真２２を回転させれば、つづみ車４８、小鉄車５０を通して日の裏車９に回転力が伝わる。ここで、二番歯車８ａは一定のすべりトルクを有して二番かな８ｂと結合されているため、四番車６が規正されていても小鉄車５０、日の裏車９、二番かな８ｂ、筒車１０は回転する。従って分針１１及び時針１２は回転し、任意の時刻に設定することができる。
　【００６７】
　図１８に通常時刻を表示するためのフローチャートを示す。図１８に示される様に、１Ｈｚインタラプトが入力すると、スイッチＲＡ２がオフしているか否かを読込み、ＲＡ２がオフしている場合には、モータ運針方式制御回路２１９にステップモータＡの正転補正駆動をセットし、モータクロック制御回路Ａ２２６に運針数１をセットする。スイッチＲＡ２がオン（時刻修正状態）の場合にはモータ駆動を停止し、ＲＡ２がオフされた時点で１秒後にモータが駆動されるように分周回路２０８及び２０９を瞬時リセットする。
　【００６８】
　図１９にクロノグラフ機能のフローチャートを示す。尚、第２５図中で用いている”ＣＧ”はクロノグラフの略語である。また”ＣＧスタート”はクロノグラフ計測中かつスプリット表示解除状態を表わす。第２巻真２３が通常位置にある時（ＲＢｌとＲＢ２がともにオフの時）はクロノグラフモードとなり、Ａスイッチが入力するたびにクロノグラフ計測のスタートとストップを繰り返す。クロノグラフ計測が開始されると、ＣＧ　インタラプトによりデータメモリ２０４の一部に形成されるＣＧｌ／５秒カウンタが＋１され、１／５秒ＣＧ針２１が１／５秒刻みで運針されるとともに、１／５秒カウンタが１分をカウントすると、やはりデータメモリ２０４の一部に形成されるＣ分カウンタが＋１され分ＣＧ針３１が１分刻みで運針される。また”ＣＧスタート”時にＢスイッチが入力するとスプリット表示状態となり、スプリット表示状態でＢスイッチが入力すると”Ｃ
Ｇスタート”となり、１／５秒ＣＧ針２１と分ＣＧ針３１は計測時間を表示するまで早送りされる。またクロノグラフ計測停止状態でＢスイッチが入力すると、クロノグラフ計測がリセットされ各ＣＧ針は０位置を表示するまで早送りされる。尚、早送り運針の方法について、図２２のフローチャートに示す。
　【００６９】
　図２０にタイマー機能のフローチャートを示す。タイマー設定時間は１／５秒ＣＧ針２１により表示される。策２巻真２３が１段目にある時（ＲＢ１がオンの時）にはタイマーモードとなり、タイマーセット状態時にＢスイッチが入力するとタイマーセット時間が１分増加し、１／５秒ＣＧ針２１が１分単位（５ステップ）ずつ運針する。この１／５秒ＣＧ針２１が示す文字盤４１上の目盛りが設定時間を示し最大６０分までの設定が可能である。タイマーのスタート、ストップはＡスイッチ２４で行なう。タイマー動作がスタートすると、分ＣＧ針３１が反時計方向に１秒毎、１／５秒ＣＧ針２１が反時計方向に１分毎運針し、タイマー経過時間を表示する。また、タイマー１分セット時及び最終１分時は、分ＣＧ針３１は停止し、１／５秒ＣＧ針２１が１秒毎の減算を行ない、最終の３秒前から予告音が鳴鐘し、０秒に達した時にタイムアップ音が鳴鐘しタイマー動作を終了する。
　【００７０】
　図２１にアラーム機能のフローチャートを示す。図２１（ａ）に示すように第２巻心２３を０段目または１段目にした状態つまりＲＢ２がオフのときＣスイッチ２６を押すと、ＣＰＵからの命令により、モータ駆動パルス制御回路Ｄ２３３に正転駆動ＩＩが選択され、トリガー形成回路Ｄ２３３のレジスタ（以後、モータパルスレジスタ）に１５がセットされアラーム時分針の早送り修正を開始する。アラームＡモードつまり第２巻心が０段目で、アラーム非セット状態（アラーム鳴鐘禁止状態）のときは、この修正が開始された時刻をアラームセット時刻とし、アラーム鳴鐘禁止株態を解除つまりアラームセット状態とする。モータパルスが１５発出力されるとトリガー形成回路Ｄ２３３によってコントロールインタラプトが発生する。コントロールインタラプトが発生すると、図２１（ｂ）に示すように、アラームＢモードのときには、アラーム時刻Ｂに１５が加算されモータパルスレジスタには１５がリロードされ、修正が継続される。アラームＡモードで、現時刻とアラーム時刻Ａの差が１５以上のときには、アラーム時刻Ａに１５を加算し、その結果現時刻とアラーム時刻Ａの差が１５より小さくなった場合にはモータパルスレジスタにその差をセットする。その場合、次のコントロールインタラプト発生時にアラーム時分針が現時刻を表示しているので、モータパルスレジスタに０をセットして、修正を中断し、アラーム鳴鐘を禁止し、アラームセット状態を解除する。Ｃスイッチを離すと、図２１（ａ）に示すようにアップカウンタ２２６２（以後、モータパルスアップカウンタ）が読み込まれ、ＡＬ分針３８の早送りが停止する。この時ＡＬ分針３８は、前回コントロールインタラプトが発生した時から読み込み値の分だけ進んでいるため、その補正を行なう。また、アラームＡモードにおいては、この時点でアラーム時刻と現時刻が一致していた場合、アラーム鳴鐘を禁止してアラーム非セット状態とする。アラームの鳴鐘は図２１（ｃ）に示すように、１Ｈｚインタラプトを計数してアラーム時刻と現時刻が一致した時に行なう。但し、アラームＡモードでアラーム鳴鐘が禁止されている場合には、アラーム鳴鐘は行なわず、アラームＡＬ分針３８を１分運針させる。また、アラームＡモードにおいては、アラーム鳴鐘後、アラーム鳴鐘を禁止してアラームセット状態を解除する。
　【００７１】
　なお、本実施例では、アラーム制御手段が、現時刻、アラームセット時刻Ａ、アラームセット時刻Ｂをそれぞれ絶対値として持っていたが、例えば、アラームセットＡと現時刻との差、アラームセット時刻Ｂと現時刻の差といったように相対値として持ち、制御することも可能である。
　【００７２】
　また、本実施例においては制御手段がＣＰＵを用いたものであったが、その替りに論理回路のみで実現することも可能である。
　【００７３】
　なお、通常時刻の修正は、第２巻真を２段目の状態で回転することにより、図１０に示したＡＬつづみ車４９、ＡＬ小鉄車５１を介して行なわれる。
　【００７４】
　図２２に各モータの運針方法のフローチャートを示す。図２２（ａ）は運針数が１４発以下の場合のモータの運針方法であり、図２２（ｂ）及び（ｃ）は１５発以上の早送り（１２８Ｈｚ）の運針方法である。尚、図中に用いられている”モータパルスレジスタ”は図９のレジスタ２２６１のことである。
　【００７５】
　以上で実施例の説明を終わる。
　【００７６】
　次に、本発明の第２の実施例について説明する。
　【００７７】
　本実施例は、第１の実施例に、図２３に示す、液晶ダライバ及びラッチ３００１及び液晶表示装置３００２を加えたものであり、ソフトからの命令により、現時刻、現時刻と別の第２時刻、カレンダー、アラーム時刻、タイマー時間、モード、クロノグラフ時間等を液晶表示装置３００２によりデジタル表示する。
　【００７８】
　【発明の効果】
　以上述べたように本発明によれば、複数のステップモータと表示指針と現時刻カウンタとアラームセット時刻記憶カウンタとアラーム制御手段と外部操作部により、前記表示指針がアラーム非セット状態では現時刻を表示し、アラームセット中及びアラームセット後はアラームセット時刻を表示し、現時刻とアラームセット時刻が一致したときにアラームを鳴鐘し、アラーム鳴鐘後はアラーム非セット状態となり、前記表示指針が再び現時刻を表示する動作モードＡと、アラーム鳴鐘後もアラームセット時刻が保持され、次にアラームセット時刻と現時刻が一致した時に再びアラームが鳴鐘する動作モードＢとを、外部操作部材に連動した切り替え手段によって切り替え可能に構成したことにより、使用者の要望により両者の動作モードを任意に切り替え使用することができる。
　【００７９】
　【００８０】
　また、アラームセット状態ではアラーム時刻を、アラーム非セット状態では現時刻を表示しているため、特別なモード表示手投をもたなくてもアラームセット状態か否かを知ることができる。そのため、使用者が表示を見なくても次に操作をする必要が有るか否かを知ることができる。
　【００８１】
　また、モードにより、アラーム音を変えることによって、アラーム音を聴いただけでモードを知ることができる。そのため、使用者が表示を見なくても次に操作をする必要が有るか否かを知ることができる。また、アラームの使用目的に合わせてアラームの鳴鐘音を変えることができる。
　【００８２】
　【００８３】
　以上述べたように本発明により、アラーム付電子時計の商品性が高まる。
【図面の簡単な説明】
　【図１】　本発明のアラーム付電子時計の一実施例を示すＩＣのブロック図。
　【図２】　図１のクロノグラフ回路２１１の具体的構成例を示すブロック図。
　【図３】　図１のモータ運針制御回路の２１２の具体的構成例を示すブロック図。
　【図４】　図１の運針基準信号形成回路２２０の具体的構成例を示す図。
　【図５】　図１の第１駆動パルス形成回路２２１から出力されるモータ駆動パルスＰａのタイミングチャート。
　【図６】　図１の第２駆動パルス形成回路２２２から出力されるモータ駆動パルスＰｂのタイミングチャート。
　【図７】　図１の第３駆動パルス形成回路２２３から出力されるモータ駆動パルスＰｃのタイミングチャート。
　【図８】　図１の第４駆動パルス形成回路２２４から出力されるモータ駆動パルスＰｄのタイミングチャート。
　【図９】　図１のモータクロック制御回路２２６，２２７．２２８，及び２２９の具体的構成例を示すブロック図。
　【図１０】　本発明のアナログ電子時計の一実施例を示す平面図。
　【図１１】　通常時刻時分表示用輪列の断面図。
　【図１２】　通常時刻秒表示用輪列の断面図。
　【図１３】　クロノグラフ秒表示用輪列の断面図。
　【図１４】　クロノグラフ分表示及びタイマー秒表示用輪列の断面図。
　【図１５】　アラーム設定時刻表示用輪列の断面図。
　【図１６】　図１０の実施例の回路結線図。
　【図１７】　本実施例の多機能電子時計の完成体の外観図。
　【図１８】　通常時刻を表示するためのフローチャート。
　【図１９】　クロノグラフ機能のフローチャート。
　【図２０】　タイマー機能のフローチャート。
　【図２１】　アラーム機能のフローチャート。
　【図２２】　モータの運針方法のフローチャート。
　【図２３】　第２の実施例の第１の実施例に対する追加分であるデジタル表示手段を示す図。
　【符号の説明】
　２０１…コアＣＰＵ
　２０２…プログうムメモリ
　２０４…データメモリ
　２１１…クロノグラフ回路
　２１２…モータ運針制御回路
　２１４，２１５，２１６…モータドライバ
　２１７…入力制御及びリセット信号形成回給
　２１８…インタラプト制御回路
　２１９…モータ運針方式制御回路
　２２０…運針基準信号形成回路
　２２１〜２２５…モータ駆動パルス形成回路
　２２６〜２２９…モータクロック制御回路
　２３０〜２３３…トリガー形成回路
　２３４〜２３７…モータ駆動パルス選択回路
　２…電池
　３…ステップモータＡ
　４…ロータ
　５…五番車
　６…四番車
　７…三番車
　８…二番車
　９…日の裏車
　１０…筒車
　１５…ステップモータＢ
　１６…ロータ
　１７…１／５秒針ＣＧ第１中間車
　１８…１／５秒ＣＧ第二中間車
　１９…１／５秒ＣＧ車
　２７…ステップモータＣ
　２８…ロータ
　２９…分ＣＧ中間車
　３０…分ＣＧ車
　３１…ステップモータＤ
　３３…ロータ…ＡＬ中間車
　３５…ＡＬ分車
　３６…ＡＬ日の裏車
　３７…ＡＬ筒車